(57)【要約】【課題】シャッタを閉めた際、シャッタ端部と、玉箱や玉箱設置台のシャッタの閉じる方向の端部との間にパチンコ玉が挟まることを防止することができ、かつシャッタを確実に閉じることができるシャッタ機構および計数装置を提供することを目的とする。【解決手段】シャッタ機構３００は、玉箱１０６と、この玉箱１０６を設置する玉箱設置台１０５と、玉箱１０６の底部外面１０６ａと玉箱設置台１０５の上面２５０ａとの間を摺動可能に設けられ、玉箱１０６および玉箱設置台１０５にそれぞれ対応して開口されたパチンコ玉を下方に排出する開口部１０７、２５２を開閉可能な玉箱シャッタ１０８および玉箱設置台シャッタ２５３とを備える。また、玉箱１０６に貯留されたパチンコ玉と接触する玉箱シャッタ１０８の上面には、凸部（凸条）１０８ａが形成されている。【選択図】図７
2008055058.tif 000002
【特許請求の範囲】
【請求項１】
パチンコ玉を上流から下流に導く通路の断面に沿って摺動し、前記通路を開閉可能なシャッタを備えるシャッタ機構であって、
パチンコ玉と接触する前記シャッタの上面に凸部を形成したことを特徴とするシャッタ機構。
【請求項２】
パチンコ玉を貯留する貯留部と、
前記貯留部の底部に設けられたパチンコ玉を下方に排出する排出口と、
前記貯留部の底部外面側に設けられ、前記排出口に沿って摺動して前記排出口を開閉可能なシャッタと
を備えるシャッタ機構であって、
前記貯留部に貯留されたパチンコ玉と接触する前記シャッタの上面に凸部を形成したことを特徴とするシャッタ機構。
【請求項３】
前記凸部は、突起状であることを特徴とする請求項１または２記載のシャッタ機構。
【請求項４】
前記凸部は、凸条であることを特徴とする請求項１または２記載のシャッタ機構。
【請求項５】
前記凸条の頂上部を形成する方向が、前記シャッタが摺動する方向に対してほほ垂直な方向であることを特徴とする請求項４記載のシャッタ機構。
【請求項６】
パチンコ玉を計数する計数機構を備える計数機であって、
請求項１乃至５のいずれか１項記載のシャッタ機構を具備することを特徴とする計数機。
【発明の詳細な説明】
【技術分野】
【０００１】
本発明は、例えば、パチンコ機毎に設けられ、遊技客が獲得した遊技媒体を貯留する玉箱およびこの玉箱を設置する玉箱設置台におけるシャッタ機構およびこのシャッタ機構を備えた計数装置に関する。
【背景技術】
【０００２】
近年、パチンコ機の各台毎にパチンコ玉を計数する計数機が付設されている。この従来のパチンコ機用の計数機では、開閉可能なシャッタを設け、このシャッタを開くことで、玉箱に溜まったパチンコ玉を計数部に排出している（例えば、特許文献１参照。）。
【特許文献１】特開平９−３１３７２９号公報
【発明の開示】
【発明が解決しようとする課題】
【０００３】
上記した従来の玉箱から計数部にパチンコ玉を排出するためのシャッタ機構において、玉箱にパチンコ玉が溜まった状態のときには、玉箱の底部に設けられたシャッタ上にパチンコ玉が積層している。この状態において、玉箱内のパチンコ玉を下方に排出するためにシャッタを開くと、シャッタ上面が滑らかなためシャッタ上部に存在するパチンコ玉がその状態のまま、玉箱の排出口から下方に落下する。そして、このようなパチンコ玉が密の状態のまま排出口を落下しているときにシャッタを閉めると、シャッタ端部と、玉箱や玉箱設置台のシャッタの閉じる方向の端部との間にパチンコ玉が挟まりやすいという問題があった。
【０００４】
また、このパチンコ玉が挟まった状態のまま放置すると、例えば、遊技客が誤ってジュースなどの液体を玉箱内にこぼしたときには、パチンコ玉が挟まった隙間から計数部に液体が流れ込んでしまうという問題があった。さらに、例えば、パチンコ玉が挟まったことを検知したときには、アラーム報知して店員に知らせ、店員は、リモコン操作によりアラーム解除し、玉詰まりを解消する作業を行うため、店員の作業工数が増加するという問題があった。
【０００５】
そこで、本発明では、このような課題を解決するためになされたもので、シャッタを閉めた際、シャッタ端部と、玉箱や玉箱設置台のシャッタの閉じる方向の端部との間にパチンコ玉が挟まることを防止することができ、かつシャッタを確実に閉じることができるシャッタ機構および計数装置を提供することを目的とする。
【課題を解決するための手段】
【０００６】
上記目的を達成するために、本発明のシャッタ機構は、パチンコ玉を上流から下流に導く通路の断面に沿って摺動し、前記通路を開閉可能なシャッタを備えるシャッタ機構であって、パチンコ玉と接触する前記シャッタの上面に凸部を形成したことを特徴とする。
【０００７】
このシャッタ機構によれば、シャッタの上面に凸部を形成し、シャッタを開く方向に移動する際に、シャッタ上のパチンコ玉が、凸部に衝突することによって、シャッタ上のパチンコ玉を様々な方向に微動させることができる。このため、通路が完全に開口しても、上方に微動中のパチンコ玉があったり、下方に微動中のパチンコ玉があったりするので、通路の所定の断面を同時に下方に通過するパチンコ玉数を抑制できる。そのため、シャッタによってパチンコ玉が挟まれるのを防止することができる。
【０００８】
また、本発明のシャッタ機構は、パチンコ玉を貯留する貯留部と、前記貯留部の底部に設けられたパチンコ玉を下方に排出する排出口と、前記貯留部の底部外面側に設けられ、前記排出口に沿って摺動して前記排出口を開閉可能なシャッタとを備えるシャッタ機構であって、前記貯留部に貯留されたパチンコ玉と接触する前記シャッタの上面に凸部を形成したことを特徴とするシャッタ機構。
【０００９】
このシャッタ機構によれば、シャッタの上面に凸部を形成し、シャッタを排出口が開く方向に移動する際に、シャッタ上のパチンコ玉が、凸部に衝突することによって、シャッタ上のパチンコ玉を様々な方向に微動させることができる。このため、排出口が完全に開口しても、上方に微動中のパチンコ玉があったり、下方に微動中のパチンコ玉があったりするので、排出口を同時に下方に通過するパチンコ玉数を抑制できる。そのため、シャッタによってパチンコ玉が挟まれるのを防止することができる。
【００１０】
なお、凸部は、突起状でも、凸条であってもよい。さらに、凸条の頂上部を形成する方向が、シャッタが摺動する方向に対してほほ垂直な方向であってもよい。これによって、シャッタ上のパチンコ玉を確実に様々な方向に微動させることができる。
【００１１】
また、上記したシャッタ機構は、パチンコ玉を計数する計数機構を備える計数機に具備されてもよい。
【発明の効果】
【００１２】
本発明のシャッタ機構および計数装置によれば、シャッタを閉めた際、シャッタ端部と、玉箱や玉箱設置台のシャッタの閉じる方向の端部との間にパチンコ玉が挟まることを防止することができ、かつシャッタを確実に閉じることができる。
【発明を実施するための最良の形態】
【００１３】
以下、本発明の一実施の形態について図面を参照して説明する。
【００１４】
図１は、本発明に係る一実施の形態のシャッタ機構３００を有する計数装置１０を備えたパチンコ機２０を複数並設してなるパチンコ島１００を示す斜視図である。図２は、図１に示したパチンコ島１００の側面図である。
【００１５】
図１に示すように、パチンコ島１００は、つま板１０１間に複数のパチンコ機２０、２０…が並設されており、パチンコ機２０、２０…間には、台間機３０、３０…が挟まれた状態で配置され、その上部に幕板１０２が設けられている。この幕板１０２には、例えば、獲得した遊技媒体数に対応した表示機能を備える表示機２０５が設置され、その表示機２０５の下部には、例えば、スランプグラフ、スタート回数、大当たり回数などの情報を表示するデータ表示機４０が設置されている。
【００１６】
また、パチンコ機２０、２０…の前方には、各パチンコ機２０、２０…に対応して遊技客が座る椅子１０３、１０３…が配置されている。さらに、各パチンコ機２０、２０…の下方に前方に突き出し、パチンコ島１００に長手方向に設けられたカウンタ１０４（膳板ともいう）上には、各パチンコ機２０、２０…のそれぞれに対応して、パチンコ島１００側の基体としても機能する玉箱設置台１０５、１０５…が設置されている。また、各玉箱設置台１０５、１０５…上には玉箱１０６、１０６…が配置されている。また、カウンタ１０４の下方側には、玉箱１０６からのパチンコ玉を計数する計数装置１０が設置されている。
【００１７】
また、パチンコ機２０の表面側には、台本体２００、台本体２００の前面のほぼ中央部にほぼ水平に設置される上皿２０１、この上皿２０１の下部にほぼ水平に設置される玉受け皿２０２、この玉受け皿２０２の右方に設置されるハンドル２０３が設けられている。また、玉受け皿２０２の下部には、所定の距離をおいて玉箱１０６が位置する。
【００１８】
パチンコ機２０は、上皿２０１に入れられたパチンコ玉を、ハンドル２０３を回動することで台本体２００内に打ち込み、入賞して獲得した出玉を上皿２０１および玉受け皿２０２で受ける。この玉受け皿２０２の下部には、開口を有し、この開口を閉じている受け皿シャッタ（図示しない）を、玉受け皿２０２の前面に設けられたシャッタ操作部２０４を遊技客が所定方向に動作することで開くことができる。この受け皿シャッタが開くことで、玉受け皿２０２内のパチンコ玉を、玉受け皿２０２の下方の玉箱１０６内に排出可能となる。
【００１９】
また、図２に示すように、パチンコ機２の裏面側には、アウト玉を排出するアウト玉排出部２１０、このアウト玉排出部２１０から排出されたアウト玉を受け取るアウトボックス２１１、このアウトボックス２１１のアウト玉排出孔の下方に、アウト玉数を検出するためのアウトメータ２１２が設けられている。このアウトメータ２１２で、検知されたアウト玉は、アウトボックス２１１の底部に設けられた排出口に接続された排出パイプ２１３によって、排出樋２１４に導かれ、回収される。また、計数装置１０によって計数されたパチンコ玉は、誘導通路２１８を介して排出樋２１４に導かれ、回収される。
【００２０】
また、パチンコ機２０からの各種信号配線は、例えば、台間機３０の裏面に設けられた入力コネクタ２１５に接続され、また、計数装置１０やアウトメータ２１２からの信号配線は、台間機３０の裏面下部に設けられた下部入力コネクタ２１６に接続される。また、パチンコ機２０の外部に、出玉信号としてパチンコ機２０の上皿２０１へ供給される玉数を計数するセーフメータ（図示しない）が設置される。なお、台間機３０がいわゆるユニットの場合、対応するパチンコ機２０がパチンコ玉を貸し出す、いわゆるＣＲ機であり、セーフメータを用いずに、パチンコ機２０の特定領域への入賞の結果払い出される賞玉をパチンコ機２０からの出力信号によりカウントできる。ＣＲ機の場合、貸玉数を除いた入賞に基づき、払い出される賞玉に相当するセーフ相当出力がパチンコ機から出力される。また、パチンコ機２０の貸玉ボタンを押すことによるパチンコ機２０からの貸玉数は、台間機３０からの出力信号によりカウントできる。セーフメータまたはパチンコ機２０からの出力信号によりカウントされたパチンコ玉数である賞玉数から、台間機３０やパチンコ機２０からの貸玉数や貸玉数に基づく金額情報などの信号による売上と、アウトメータ出力信号による発射玉数とを減算した情報が遊技ホールにおける損益情報として演算できる。ここで、アウトとは、発射玉を意味し、セーフとは、パチンコ機２０への供給玉、つまりパチンコ機２０の上皿２０１への供給玉を意味する。なお、上記した各種信号配線は、台間機３０を介して、例えば島コンピュータ（図示しない）に接続される一例を示したが、この構成に限られるものではなく、例えば、計数装置１０からの情報を直接島コンピュータに出力するようにしてもよい。
【００２１】
次に、本発明に係る一実施の形態のシャッタ機構３００について、図を参照して説明する。
【００２２】
図３は、カウンタ１０４上に各パチンコ機２０に対応して設けられた玉箱設置台１０５および玉箱１０６を示す斜視図である。図４は、玉箱１０６を取り除いた状態のカウンタ１０４上に設けられた玉箱設置台１０５を示す斜視図である。図５および図６は、計数装置１０側にパチンコ玉を導出する際の動作の説明をするための玉箱設置台１０５の斜視図である。図７は、図３のＡ−Ａ断面を示す図である。図８は、図３のＡ−Ａ断面においてシャッタ機構３００の動作を説明するための図である。
【００２３】
図３に示すように、シャッタ機構３００は、パチンコ玉を貯留する玉箱１０６と、玉箱１０６を設置する玉箱設置台１０５と、玉箱１０６および玉箱設置台１０５にそれぞれ対応して開口されたパチンコ玉を下方に排出する排出口として機能する開口部１０７、２５２を開閉可能な玉箱シャッタ１０８および玉箱設置台シャッタ２５３とを備えている。また、玉箱１０６に貯留されたパチンコ玉と接触する玉箱シャッタ１０８の上面には、凸部（凸条）１０８ａが形成されている。
【００２４】
図３〜図６に示すように、パチンコ機２０の下方前面のカウンタ１０４に設けられた玉箱設置台１０５は、基板２５０と、この基板２５０上に、玉箱１０６の裏面側の溝部に対応して設けられ、玉箱１０６を所定の位置に配置するための位置固定突起部２５１と、玉箱１０６の底部に設けられた玉箱シャッタ１０８と嵌合してパチンコ玉を排出するための開口部１０７、２５２を開閉する玉箱設置台シャッタ２５３と、この玉箱設置台シャッタ２５３を遊技客に作動させるためのシャッタ開閉操作部２５４とを備えている。また、玉箱設置台１０５は、例えば、計数装置１０を係止可能であり、計数装置１０の係止部を係止する係止板２５６を備えている。また、玉箱設置台１０５には、計数装置１０に電力を供給したり、各種制御信号の交信をしたりするための配線と接続された接続コネクタ２５５が設けらている。この接続コネクタ２５５は、計数装置１０に設けられた接続コネクタと嵌合可能に構成されている。
【００２５】
図５および図６に示すように、シャッタ開閉操作部２５４は、遊技客が操作する操作部２５４ａと、この操作部２５４ａを一端部とし、回転軸２５４ｂに回転可能に支持され、他端が玉箱設置台シャッタ２５３とリンク機構によって接続された回転部材２５４ｃと、この回転部材２５４ｃの回転軸２５４ｂより他端側に一端が接続されたバネ部材２５４ｄとから主に構成されている。また、玉箱設置台シャッタ２５３は、玉箱設置台シャッタガイド２５７、２５７によって、玉箱設置台１０５の長手方向（図５および図６の左右方向）に移動可能に支持されている。
【００２６】
図６に示すように、バネ部材２５４ｄを引張る方向、すなわち玉箱設置台１０５を上方からみたときに、回転軸２５４ｂを中心に回転部材２５４ｃを右回りに回転させる方向に作動させると、玉箱設置台シャッタ２５３と嵌合する玉箱シャッタ１０８も玉箱設置台シャッタ２５３とともに、玉箱１０６の底部外面１０６ａと玉箱設置台１０５の上面２５０ａとの間を摺動し、開口部１０７、２５２が露出される。そして、開口部１０７、２５２が露出されることにより、玉箱１０６内のパチンコ玉が下方に排出される。また、バネ部材２５４ｄの復元力により玉箱設置台シャッタ２５３が開口部２５２を覆う方向に移動する際には、玉箱シャッタ１０８は、玉箱設置台シャッタ２５３とともに移動し、玉箱１０６の開口部１０７を閉鎖する。なお、開口部１０７、２５２の形状は、パチンコ玉がスムーズに下方に排出可能な形状であればよく、例えば矩形、円形、楕円形などの形状に形成される。
【００２７】
また、玉箱シャッタ１０８の上面に形成された凸部（凸条）１０８ａは、図７に示すように、玉箱シャッタ１０８が開く際に玉箱シャッタ１０８が摺動する方向に交わる方向に亘って形成されている。また、凸部（凸条）１０８ａは、玉箱シャッタ１０８が開く際に玉箱シャッタ１０８が摺動する方向に対してほほ垂直に形成されることが好ましい。また、凸部（凸条）１０８ａは、１列または複数列形成され、例えば、図７に示すように、玉箱シャッタ１０８の摺動方向に、凸部（凸条）１０８ａを３列形成してもよい。玉箱シャッタ１０８の摺動方向に列設される凸部（凸条）１０８ａの列数は、好ましくはシャッタ１０８の摺動する方向に対しパチンコ玉１個に１列である。ここで、シャッタ１０８の摺動する方向に対しパチンコ玉１個に１列とするのが好ましいのは、この範囲の列数より少ない場合および多い場合ともに、玉箱シャッタ１０８上に存在する全部のパチンコ玉に確実に衝突させることが難しいからである。
【００２８】
また、凸部（凸条）１０８ａを複数形成した場合、高さの異なる少なくとも１つの凸部（凸条）１０８ａを有するように構成されてもよい。なお、凸部（凸条）１０８ａは、凸条に限定されるものではなく、例えば、整列またはランダムに設けられたディンプル（窪み）状、バンプ（ドーム）状、山型、鋸歯状などパチンコ玉と衝突可能な凸形状であればよい。また、複数形成された凸形状において、高さの異なる少なくとも１つの凸形状を有するように構成されてもよい。
【００２９】
また、凸部（凸条）１０８ａの長手方向に垂直な断面の形状は、特に限定されるものではないが、半円形、円形、矩形、三角形などの形状に形成される。特に、玉箱シャッタ１０８を移動する際の抵抗を小さくするには、図７の凸部（凸条）１０８ａの断面形状と同様に、上記断面の形状を半円形とすることが好ましい。また、凸部（凸条）１０８ａの高さは、パチンコ玉を確実にヒットさせるべくパチンコ玉の半径５．５ｍｍ程度の５〜６ｍｍ程度とするのが好ましい。この範囲に凸部（凸条）１０８ａの高さを設定するのが好ましいのは、この範囲より低い場合および高い場合ともに、玉箱シャッタ１０８上に存在する全部のパチンコ玉を上方などに適正に微動させることが難しいからである。
【００３０】
また、少なくとも、凸部（凸条）１０８ａが形成されている玉箱シャッタ１０８の上面層は、特に限定されるものではないが、樹脂材料やゴム材料などで形成されることが好ましい。特に、玉箱シャッタ１０８の上面層を樹脂材料で形成した場合には、表面においてパチンコ玉がすべりやすく、パチンコ玉を様々な方向に微動させることができる。また、耐久性などにも優れ、玉箱シャッタ１０８が移動する際の、玉箱シャッタ１０８の上面とパチンコ玉との間の摩擦抵抗を小さくすることができ、スムーズに玉箱シャッタ１０８の開閉動作を行うことができる。一方、玉箱シャッタ１０８の上面層をゴム材料で形成した場合には、ゴム弾性によってパチンコ玉を様々な方向に微動させることができる。なお、凸部（凸条）１０８ａを除く玉箱シャッタ１０８の上面層を樹脂材料で形成し、凸部（凸条）１０８ａをゴム材料で形成してもよい。この場合には、上記した樹脂材料における耐久性や低摩擦抵抗などの効果に加え、ゴム材料におけるゴム弾性によるパチンコ玉の微動効果を得ることができる。
【００３１】
次に、シャッタ機構３００の動作について説明する。
【００３２】
遊技客が操作部２５４ａを操作し、バネ部材２５４ｄを引張る方向、すなわち玉箱設置台１０５を上方からみたときに、回転軸２５４ｂを中心に回転部材２５４ｃを右回りに回転させる方向に作動させると、玉箱設置台シャッタ２５３と嵌合する玉箱シャッタ１０８は玉箱設置台シャッタ２５３とともに、玉箱１０６の底部外面１０６ａと玉箱設置台１０５の上面２５０ａとの間を摺動する。図８に示すように、玉箱シャッタ１０８が開口部１０７を開く方向に移動すると、玉箱シャッタ１０８の上面に設けられた凸部（凸条）１０８ａに衝突することによって、玉箱シャッタ１０８上のパチンコ玉ＰＢが上方などの様々な方向に微動する。このように、パチンコ玉ＰＢが様々な方向に微動することで、開口部１０７が完全に開口しても、上方に微動中のパチンコ玉ＰＢがあったり、下方に微動中のパチンコ玉ＰＢがあったりするので、玉箱シャッタ１０８上に存在するすべてのパチンコ玉ＰＢが同時に開口部１０７を下方に通過することがない。
【００３３】
また、遊技客が操作部２５４ａから手を離すと、図８に示すように、バネ部材２５４ｄの復元力により玉箱シャッタ１０８および玉箱設置台シャッタ２５３は、開口部１０７、２５２を覆う方向に移動する。そして、開口部１０７、２５２は、玉箱シャッタ１０８および玉箱設置台シャッタ２５３によって閉鎖される。
【００３４】
上記したように、本発明に係る一実施の形態のシャッタ機構３００によれば、玉箱シャッタ１０８の上面に凸部（凸条）１０８ａを形成し、玉箱シャッタ１０８を開口部１０７が開く方向に移動する際に、玉箱シャッタ１０８上のパチンコ玉が、凸部（凸条）１０８ａに衝突することによって、玉箱シャッタ１０８上のパチンコ玉を様々な方向に微動させることができる。このため、開口部１０７が完全に開口しても、上方に微動中のパチンコ玉があったり、下方に微動中のパチンコ玉があったりするので、玉箱シャッタ１０８上に存在するすべてのパチンコ玉が同時に開口部１０７を下方に通過することがない。このように、開口部１０７を同時に下方に通過するパチンコ玉数を抑制できるため、開口部１０７を閉鎖する際に、玉箱１０６および玉箱設置台１０５と、玉箱シャッタ１０８および玉箱設置台シャッタ２５３との間にパチンコ玉が挟まれるのを防止することができる。
【００３５】
次に、上記したシャッタ機構３００を有する計数装置１０の一例を説明する。
【００３６】
ここで、図９は、玉箱設置台１０５に計数装置１０を取り付ける際のカウンタ１０４の長手方向からの平面図である。ここで、取り付けられる計数装置１０は、特に限定されるものではなく、公知の計数装置が取り付けられる。
【００３７】
前述したように、玉箱設置台１０５は、計数装置１０に設けられた係止部４４１を係止する係止板２５６を備えている。この係止板２５６には、計数装置１０の係止部４４１を係止するための開口部２５６ａが形成されている。また、玉箱設置台１０５には、計数装置１０に電力を供給したり、各種制御信号の交信をしたりするための配線と接続された接続コネクタ２５５が設けられている。この接続コネクタ２５５は、計数装置１０に設けられた接続コネクタ４６０と嵌合可能に構成されている。そして、計数装置１０の係止部４４１を玉箱設置台１０５の係止板２５６に係止することで、計数装置１０が玉箱設置台１０５に係止される。
【００３８】
なお、図示しないが、計数装置１０の上部には、計数装置シャッタが設けられ、玉箱シャッタ１０８および玉箱設置台シャッタ２５３の開閉に連動して開閉するように構成されている。そして、玉箱シャッタ１０８および玉箱設置台シャッタ２５３が開くことによって、計数装置１０内に玉箱１０６からのパチンコ玉が流入し、計数される。また、図２に示すように、計数装置１０によって計数されたパチンコ玉は、誘導通路２１８を介して排出樋２１４に導かれ、回収される。
【００３９】
上記したシャッタ機構３００を有する計数装置１０では、上記したシャッタ機構３００と同様の作用効果を得ることができる。すなわち、玉箱シャッタ１０８の上面に凸部（凸条）１０８ａを形成し、玉箱シャッタ１０８を開口部１０７が開く方向に移動する際に、玉箱シャッタ１０８上のパチンコ玉が、凸部（凸条）１０８ａに衝突することによって、玉箱シャッタ１０８上のパチンコ玉を様々な方向に微動させることができる。このため、開口部１０７が完全に開口しても、上方に微動中のパチンコ玉があったり、下方に微動中のパチンコ玉があったりするので、玉箱シャッタ１０８上に存在するすべてのパチンコ玉が同時に開口部１０７を下方に通過することがない。このように、開口部１０７を同時に下方に通過するパチンコ玉数を抑制できるため、開口部１０７を閉鎖する際に、玉箱１０６および玉箱設置台１０５と、玉箱シャッタ１０８および玉箱設置台シャッタ２５３との間にパチンコ玉が挟まれるのを防止することができる。
【００４０】
さらに、玉箱１０６および玉箱設置台１０５と、玉箱シャッタ１０８および玉箱設置台シャッタ２５３との間にパチンコ玉が挟まれるのを防止することができるので、例えば、遊技客が誤って玉箱１０６内にジュースなどの液体をこぼしても、計数装置１０内に流入することはない。また、店員が、玉箱１０６および玉箱設置台１０５と、玉箱シャッタ１０８および玉箱設置台シャッタ２５３との間に挟まったパチンコ玉を除去するなどの作業を行うことがなくなるので、店員の作業効率を向上させることができる。
【００４１】
以上、本発明を実施の形態により具体的に説明したが、本発明はこれらの実施の形態にのみ限定されるものではなく、その要旨を逸脱しない範囲で種々変更可能である。
【図面の簡単な説明】
【００４２】
【図１】本発明に係る一実施の形態のシャッタ機構を有する計数装置を備えたパチンコ機を複数並設してなるパチンコ島を示す斜視図。
【図２】図１に示したパチンコ島の側面図。
【図３】カウンタ上に各パチンコ機に対応して設けられた玉箱設置台および玉箱を示す斜視図。
【図４】玉箱を取り除いた状態のカウンタ上に設けられた玉箱設置台を示す斜視図。
【図５】計数装置側にパチンコ玉を導出する際の動作の説明をするための玉箱設置台の斜視図。
【図６】計数装置側にパチンコ玉を導出する際の動作の説明をするための玉箱設置台の斜視図。
【図７】図３のＡ−Ａ断面を示す図。
【図８】図３のＡ−Ａ断面においてシャッタ機構の動作を説明するための図。
【図９】玉箱設置台に計数装置を取り付ける際のカウンタの長手方向からの平面図。
【符号の説明】
【００４３】
１０…計数装置、２０…パチンコ機、３０…台間機、４０…データ表示機、１００…パチンコ島、１０１…板、１０２…幕板、１０３…椅子、１０４…カウンタ、１０５…玉箱設置台、１０６…玉箱、１０６ａ…底部外面、１０８…玉箱シャッタ、１０８ａ…凸部（凸条）、２０４…シャッタ操作部、２０５…表示機、２１０…アウト玉排出部、２１１…アウトボックス、２１２…アウトメータ、２１３…排出パイプ、２１４…排出樋、２１５…入力コネクタ、２１６…下部入力コネクタ、２１８…誘導通路、２２０…腰板、２５０…基板、２５０ａ…上面、２５１…位置固定突起部、１０７，２５２，２５６ａ…開口部、２５３…玉箱設置台シャッタ、２５４…シャッタ開閉操作部、２５４ａ…操作部、２５４ｂ…回転軸、２５４ｃ…回転部材、２５４ｄ…バネ部材、３００…シャッタ機構、２５５，４６０…接続コネクタ、２５６…係止板、４４１…係止部、ＰＢ…パチンコ玉。
【図１】
2008055058.tif 000003
【図２】
2008055058.tif 000004
【図３】
2008055058.tif 000005
【図４】
2008055058.tif 000006
【図５】
2008055058.tif 000007
【図６】
2008055058.tif 000008
【図７】
2008055058.tif 000009
【図８】
2008055058.tif 000010
【図９】
2008055058.tif 000011